(57)【要約】【課題】小型化が可能な３相回路遮断器を提供する。【解決手段】３相回路遮断器１は３相３線式電路Ｒ，Ｓ，Ｔの各線に電源線２を接続し、電源線２に３つのサージ吸収素子Ｚ１〜Ｚ３の一方端を夫々接続し、この３つのサージ吸収素子Ｚ１〜Ｚ３の他方端を一括して接続する。そして、３相３線式電路Ｒ，Ｓ，Ｔに雷サージが発生した場合、Ｒ−Ｓ相間は直列接続したサージ吸収素子Ｚ１，Ｚ２で雷サージを吸収し、Ｓ−Ｔ相間は直列接続したサージ吸収素子Ｚ２，Ｚ３で雷サージを吸収し、Ｔ−Ｒ相間は直列接続したサージ吸収素子Ｚ３，Ｚ１で雷サージを吸収する。【選択図】        図１
2004265645.tif 000002
【特許請求の範囲】
【請求項１】
３相３線式電路に用いられる３相回路遮断器において、前記３相３線式電路の各線に電源線を接続し、該電源線に３つのサージ吸収素子の一方端を夫々接続し、前記３つのサージ吸収素子の他方端を一括して接続したことを特徴とする３相回路遮断器。
【請求項２】
３相４線式電路に用いられる３相回路遮断器において、前記３相４線式電路の電圧線の各線に電源線を接続し、該電源線に３つのサージ吸収素子の一方端を夫々接続し、前記３つのサージ吸収素子の他方端を一括して接続し、該接続点を前記３相４線式電路の中性線に接続したことを特徴とする３相回路遮断器。
【発明の詳細な説明】
【０００１】
【発明の属する技術分野】
本発明は、３相回路遮断器において雷サージから電子部品を保護するための回路に関する。
【０００２】
【従来の技術】
３相回路遮断器において欠相保護機能や漏電保護機能を備えたものは欠相を検出するためや電子制御部を駆動するために電路から電源を確保している。３相３線式回路遮断器の場合、例えば、特許文献１に示されるように電子制御部の電源は３相３線式電路の２相から供給されるようになっており、３相４線式回路遮断器の場合、例えば、図３に示すように電子制御部の電源は３相４線式電路のうち電圧線の１つと中性線の２相から供給されるようになっており、両者とも電子制御部を雷サージから保護するためのサージ吸収素子を１つだけ備えていた。そのため、サージ吸収素子がケース内で占めるスペースも小さかった。
【０００３】
【特許文献１】
特開平５−３６２２号公報（第１図）
【０００４】
【発明が解決しようとする課題】
しかしながら、従来の３相回路遮断器が漏電保護機能を備えている場合、３相のうち電子制御部の電源の何れか１相が欠相すると電子制御部が動作しないので漏電が発生しても電路を遮断しないし、また、３相回路遮断器が欠相保護機能を備えている場合も同様に、電源を取っていない相が欠相しても検出せず、電路を遮断しない。そこで１相が欠相しても漏電保護が機能するためには３相から電源を確保する必要があるし、全ての電路において欠相を保護するには全ての電路に電源線を接続する必要がある。そうすると、サージ吸収素子を各相間に設ける必要があり、Ｒ相，Ｓ相，Ｔ相から成る３相３線式電路の場合、Ｒ−Ｓ相間とＳ−Ｔ相間とＴ−Ｒ間の３箇所にサージ吸収素子を設けなければならないし、Ｌ１相，Ｌ２相，Ｌ３相，Ｎ相から成る３相４線式電路の場合、Ｌ１−Ｌ２相間、Ｌ２−Ｌ３相間、Ｌ３−Ｌ１相間、Ｌ１−Ｎ相間、Ｌ２−Ｎ相間及びＬ３−Ｎ相間の６箇所にサージ吸収素子を設けなければならない。近年は遮断器の小型化が進んでいるが、サージ吸収素子は他の電子部品に比べて大きいため、遮断器の小型化は非常に困難であった。而もＬ１−Ｌ２相間、Ｌ２−Ｌ３相間及びＬ３−Ｌ１相間の電圧は高いため、これに設けられるサージ吸収素子は容量が大きいのでＬ１−Ｎ相間、Ｌ２−Ｎ相間、及びＬ３−Ｎ相間に設けられるサージ吸収素子に比べて３倍程度の容積があり、価格も高いという問題があった。
【０００５】
そこで上記問題点に鑑み、本発明の目的は、小型化することができる３相回路遮断器を提供することである。
【０００６】
【課題を解決するための手段】
上記目的を達成するために、請求項１に記載の発明によれば、３相３線式電路に用いられる３相回路遮断器において、３相３線式電路の各線に電源線を接続し、電源線に３つのサージ吸収素子の一方端を夫々接続し、３つのサージ吸収素子の他方端を一括して接続したことを特徴とする。
【０００７】
請求項２に記載の発明によれば、請求項１に記載の３相４線式欠相保護付き回路遮断器において、３相４線式電路に用いられる３相回路遮断器において、３相４線式電路の電圧線の各線に電源線を接続し、電源線に３つのサージ吸収素子の一方端を夫々接続し、３つのサージ吸収素子の他方端を一括して接続し、接続点を３相４線式電路の中性線に接続したことを特徴とする。
【０００８】
【発明の実施の形態】
３相３線式電路に用いられる３相回路遮断器は、３相３線式電路の各線に電源線を接続し、電源線に３つのサージ吸収素子の一方端を夫々接続し、この３つのサージ吸収素子の他方端を一括して接続する。そして、３相３線式電路に流れる雷サージを各相間につき２つのサージ吸収素子によって吸収する。
【０００９】
また、３相４線式電路に用いられる３相回路遮断器は、３相４線式電路の電圧線の各線に電源線を接続し、電源線に３つのサージ吸収素子の一方端を夫々接続し、３つのサージ吸収素子の他方端を一括して接続し、この接続点を３相４線式電路の中性線に接続する。そして、３相４線式電路に雷サージが発生した場合、電圧線間は２つのサージ吸収素子によって雷サージを吸収し、電圧線と中性線間は１つのサージ吸収素子によって雷サージを吸収する。
【００１０】
【実施例】
本発明に係る３相回路遮断器の第１実施例を図１の添付図面に基づいて説明する。
【００１１】
３相３線式電路Ｒ，Ｓ，Ｔに用いられる３相回路遮断器１は、３相３線式電路Ｒ，Ｓ，Ｔの各線に電源線２を接続している。電源線２にはサージ吸収素子Ｚ１〜Ｚ３の一方端が夫々接続され、この３つのサージ吸収素子Ｚ１〜Ｚ３の他方端は一括して接続している。
【００１２】
また、電源線２は電子制御部３に接続されて電源を供給するようになっている。電子制御部３は３相３線式電路Ｒ，Ｓ，Ｔを貫通させた零相変流器ＺＣＴと、３相３線式電路Ｒ，ＳＴ，の開閉接点４を開離させるためのトリップコイルＴＣが接続され、零相変流器ＺＣＴの出力によって電子制御部３が漏電を検出するとトリップコイルＴＣを駆動させて開閉接点４を開離し、３相３線式電路を遮断するようになっている。
【００１３】
ここで３相３線式電路Ｒ，Ｓ，Ｔに雷サージが発生した場合、Ｒ−Ｓ相間は直列接続されたサージ吸収素子Ｚ１，Ｚ２で雷サージを吸収し、Ｓ−Ｔ相間は直列接続されたサージ吸収素子Ｚ２，Ｚ３で雷サージを吸収し、Ｔ−Ｒ相間は直列接続されたサージ吸収素子Ｚ３，Ｚ１で雷サージを吸収する。
【００１４】
このように各相間につき２個のサージ吸収素子によって雷サージを吸収するのでサージ吸収素子１個は従来の３相４線式電路の電圧線と中性線との間に使用するものと同程度の容量の小さいものにすることができ、従来に比べて容積を１／３にすることができる。
【００１５】
尚、本実施例における３相回路遮断器は漏電保護機能付きであるが欠相保護機能付きの３相回路遮断器においても同様に実施できる。
【００１６】
本発明に係る３相回路遮断器の第２実施例を図２の添付図面に基づいて説明する。尚、第１実施例と同一部分には同一符号を付してある。
【００１７】
３相４線式電路Ｌ１，Ｌ２，Ｌ３，Ｎに用いられる３相回路遮断器１１は、３相４線式電路の電圧線Ｌ１，Ｌ２，Ｌ３の各線に電源線２を接続している。電源線２にはサージ吸収素子Ｚ１１〜Ｚ１３の一方端が夫々接続され、この３つのサージ吸収素子Ｚ１１〜Ｚ１３の他方端は一括して接続し、接続点を３相４線式電路の中性線Ｎに接続している。
【００１８】
また、電源線１２は電子制御部３に接続されて電源を供給するようになっている。電子制御部３は３相４線式電路Ｌ１，Ｌ２，Ｌ３，Ｎを貫通させた零相変流器ＺＣＴと、３相４線式電路Ｌ１，Ｌ２，Ｌ３，Ｎの開閉接点４を開離させるためのトリップコイルＴＣが接続され、零相変流器ＺＣＴの出力によって電子制御部３が漏電を検出するとトリップコイルＴＣを駆動させて開閉接点４を開離し、３相４線式電路を遮断するようになっている。
【００１９】
ここで３相４線式電路Ｌ１，Ｌ２，Ｌ３，Ｎに雷サージが発生した場合、Ｌ１−Ｌ２相間は直列接続されたサージ吸収素子Ｚ１１，Ｚ１２で雷サージを吸収し、Ｌ２−Ｌ３相間は直列接続されたサージ吸収素子Ｚ１２，Ｚ１３で雷サージを吸収し、Ｌ３−Ｌ１相間は直列接続されたサージ吸収素子Ｚ１３，Ｚ１１で雷サージを吸収し、Ｌ１−Ｎ相間、Ｌ２−Ｎ相間、Ｌ３−Ｎ相間はサージ吸収素子Ｚ１１〜Ｚ１３で夫々吸収する。
【００２０】
このように電圧が高い電圧線間は２個のサージ吸収素子によって雷サージを吸収するのでサージ吸収素子１個は従来の３相４線式電路の電圧線と中性線との間に使用するものと同程度の容量の小さいものにすることができ、従来に比べて容積を１／４にすることができる。
【００２１】
尚、本実施例における３相回路遮断器は漏電保護機能付きであるが欠相保護機能付きの３相回路遮断器においても同様に実施できる。
【００２２】
【発明の効果】
以上説明したように請求項１に記載の発明によれば、３相３線式電路に用いられる３相回路遮断器において、３相３線式電路の各線に電源線を接続し、電源線に３つのサージ吸収素子の一方端を夫々接続し、３つのサージ吸収素子の他方端を一括して接続したことにより、コストを低減し、遮断器を小型化することができるという効果がある。
【００２３】
請求項２に記載の発明によれば、請求項１に記載の３相４線式欠相保護付き回路遮断器において、３相４線式電路に用いられる３相回路遮断器において、３相４線式電路の電圧線の各線に電源線を接続し、電源線に３つのサージ吸収素子の一方端を夫々接続し、３つのサージ吸収素子の他方端を一括して接続し、接続点を３相４線式電路の中性線に接続したことにより、コストを低減し、遮断器を小型化することができるという効果がある。
【図面の簡単な説明】
【図１】本発明の第１実施例に係る３相回路遮断器の回路図である。
【図２】本発明の第２実施例に係る３相回路遮断器の回路図である。
【図３】従来の３相４線式回路遮断器の回路図である。
【符号の説明】
１…３相回路遮断器
２…電源線
Ｒ，Ｓ，Ｔ…３相３線式電路
Ｚ１〜Ｚ３…サージ吸収素子
【図１】
2004265645.tif 000003
【図２】
2004265645.tif 000004
【図３】
2004265645.tif 000005